(57)【要約】【課題】  通信システムに属する所定の端末であって、自分専用の端末ではない端末を、自分専用の端末として、一時的に利用することができる通信システムおよび通信システムの制御方法を提供することを目的とする。【解決手段】  端末とサーバ機器と構内交換機とを具備し、ネットワークを介して、上記各端末／機器が相互に接続される通信システムにおいて、運用中の上記通信システムにおいて、所定の第１のユーザが、上記通信システム内の所定の端末において特定の操作を行うことによって、上記所定の端末を第１のユーザの端末として、一時的に動作可能とし、同時に、上記第１のユーザが、上記所定の端末からネットワーク側が提供するサービスを利用できるように、ユーザ登録するユーザ登録手段と、構内交換機の設定を更新する設定更新手段とを、構内交換機に設けたものである。【選択図】  図１
2006140922.tif 000002
【特許請求の範囲】
【請求項１】
ネットワーク上のサービスを、ユーザが利用するために、ネットワーク上のサーバがユーザを登録するネットワークシステムを利用する通信システムであって、端末と、サーバ機器と、構内交換機とを具備し、ネットワークを介して、上記各端末／機器が相互に接続される通信システムにおいて、
上記端末は、
ＩＰ電話機能を搭載し、上記端末を利用するユーザを識別するユーザ情報と、上記端末を特定する端末情報とを記憶する記憶手段と；
上記端末が接続されている情報サーバ機器に、上記各情報を伝達する情報伝達手段と；
を有し、
上記サーバ機器は、
ネットワーク側が提供するサービスを、上記端末上で利用するために必要なユーザ毎の登録情報と、ユーザが利用している端末をユーザ毎に特定する情報とを蓄積・管理する手段と；
上記サーバ機器に接続されている上記構内交換機に、上記各情報を伝達する情報伝達手段と；
を有し、
上記構内交換機は、
ＩＰ交換機能を搭載し、上記サーバ機器からの上記各情報を受信する受信手段と；
ネットワーク側が提供するサービスを利用するために、ネットワーク上のサーバに登録情報を伝達する情報伝達手段と；
運用中の上記通信システムにおいて、所定の第１のユーザが、上記通信システム内の所定の端末において特定の操作を行うことによって、上記所定の端末を上記第１のユーザの端末として、一時的に動作可能とし、同時に、上記第１のユーザが、上記所定の端末からネットワーク側が提供するサービスを利用できるように、ユーザ登録するユーザ登録手段と；
上記構内交換機の設定を更新する設定更新手段と；
を有することを特徴とする通信システム。
【請求項２】
請求項１において、
上記設定更新手段は、上記第１のユーザの端末として一時的に動作中の上記所定の端末に、上記第１のユーザが特定の操作をすることによって、上記第１のユーザの端末としての動作を、一時的に解除し、上記所定の端末が、元の端末の状態で動作できるように、構内交換機の設定を更新する手段であることを特徴とする通信システム。
【請求項３】
請求項１において、
上記サーバ機器と上記構内交換機とが一体であることを特徴とする通信システム。
【請求項４】
ネットワーク上のサービスを、ユーザが利用するために、ネットワーク上のサーバがユーザを登録するネットワークシステムを利用する通信システムであって、端末と、サーバ機器と、構内交換機とを具備し、ネットワークを介して、上記各端末／機器が相互に接続される通信システムの制御方法において、
ＩＰ電話機能を搭載し、上記端末を利用するユーザを識別するユーザ情報と、上記端末を特定する端末情報とを、上記端末が記憶する記憶工程と；
上記端末が接続されている情報サーバ機器に、上記端末が、上記各情報を伝達する情報伝達工程と；
ネットワーク側が提供するサービスを、上記端末上で利用するために必要なユーザ毎の登録情報と、ユーザが利用している端末をユーザ毎に特定する情報とを、上記サーバ機器が蓄積・管理する工程と；
上記サーバ機器に接続されている上記構内交換機に、上記サーバ機器が、上記各情報を伝達する情報伝達工程と；
ＩＰ交換機能を搭載し、上記サーバ機器からの上記各情報を、上記構内交換機が受信する受信工程と；
ネットワーク側が提供するサービスを利用するために、ネットワーク上のサーバに登録情報を、上記構内交換機が伝達する情報伝達工程と；
運用中の上記通信システムにおいて、所定の第１のユーザが、上記通信システム内の所定の端末において特定の操作を行うことによって、上記所定の端末を上記第１のユーザの端末として、一時的に動作可能とし、同時に、上記第１のユーザが、上記所定の端末からネットワーク側が提供するサービスを利用できるように、上記構内交換機がユーザ登録するユーザ登録工程と；
上記構内交換機の設定を、上記構内交換機が更新する設定更新工程と；
を有することを特徴とする通信システムの制御方法。
【請求項５】
請求項４において、
上記設定更新工程は、上記第１のユーザの端末として一時的に動作中の上記所定の端末に、上記第１のユーザが特定の操作をすることによって、上記第１のユーザの端末としての動作を、一時的に解除し、上記所定の端末が、元の端末の状態で動作できるように、構内交換機の設定を更新する工程であることを特徴とする通信システムの制御方法。
【発明の詳細な説明】
【技術分野】
【０００１】
本発明は、通信システムおよび通信システムの制御方法に関する。
【背景技術】
【０００２】
ＰＢＸやボタン電話装置等の従来システムにおいて、個々の端末は、予め決められた利用ユーザ毎の設定データに従って動作している（たとえば、特許文献１参照）。なお、「利用ユーザ毎の設定データ」は、ユーザ毎に異なる端末を利用するために必要なデータであり、具体的には発信時に使用する回線（発信電話番号）の利用可否の設定や、電話機に着信させる回線（着信電話番号）の可視・可聴表示等の設定等に必要なデータである。
【特許文献１】特開２０００−０３２５２３号公報
【発明の開示】
【発明が解決しようとする課題】
【０００３】
ＰＢＸやボタン電話装置等の従来システムでは、通信システムに属する複数の端末のそれぞれが、どの利用ユーザの専用の端末であるか等の設定データが予め決められ、この決められている設定データに従って動作する。
【０００４】
したがって、従来例では、ユーザ自身が使用している端末以外の端末を、そのユーザが自分の専用の端末として利用することができない。このために、ユーザの移動先に設置されている端末を、そのユーザの専用の端末として使用したいという要請には応じられないという問題がある。
【０００５】
本発明は、通信システムに属する所定の端末であって、自分専用の端末ではない端末を、自分専用の端末として、一時的に利用することができる通信システムおよび通信システムの制御方法を提供することを目的とする。
【課題を解決するための手段】
【０００６】
本発明は、端末とサーバ機器と構内交換機とを具備し、ネットワークを介して、上記各端末／機器が相互に接続される通信システムにおいて、運用中の上記通信システムにおいて、所定の第１のユーザが、上記通信システム内の所定の端末において特定の操作を行うことによって、上記所定の端末を第１のユーザの端末として、一時的に動作可能とし、同時に、上記第１のユーザが、上記所定の端末からネットワーク側が提供するサービスを利用できるように、ユーザ登録するユーザ登録手段と、構内交換機の設定を更新する設定更新手段とを、構内交換機に設けたものである。
【発明の効果】
【０００７】
本発明によれば、ユーザ毎に異なる個々の端末が、ユーザの操作によって一時的に自分専用の端末として動作できるようになり、したがって、端末を携行することなく、ネットワークを介して接続されている移動先の端末を、自分の端末として利用できるという効果を奏する。
【発明を実施するための最良の形態】
【０００８】
発明を実施するための最良の形態は、以下の実施例である。
【実施例１】
【０００９】
図１は、本発明の実施例１である通信システム１００と、ネットワークＮＷを介して、ユーザにサービスを提供するためにユーザを登録するサーバ２００とを示す図である。
【００１０】
通信システム１００は、ネットワーク上のサービスを、ユーザが利用するために、ネットワーク上のサーバがユーザを登録するネットワークシステムを利用する通信システムであって、端末と、サーバ機器と、構内交換機とを具備し、ネットワークを介して、上記各端末／機器が相互に接続される通信システムである。
【００１１】
また、通信システム１００は、端末１０のローミングを実現するシステムであり、端末１０、２０と、サーバ機器３０と、構内交換機４０とを有する。
【００１２】
図２は、実施例１における端末１０を示すブロック図である。
【００１３】
端末１０は、ＩＰ電話機能制御部１１と、ユーザ情報管理部１２と、端末情報管理部１３と、送受信部１４とを有する。
【００１４】
ユーザ情報管理部１２は、端末１０の一時利用または一時利用解除を希望するユーザを特定する情報を蓄積・管理する。
【００１５】
端末情報管理部１３は、端末１０の位置を特定する情報を蓄積・管理する。
【００１６】
ユーザ情報管理部１２と端末情報管理部１３とは、ＩＰ電話機能を搭載し、端末を利用するユーザを識別するユーザ情報と、端末を特定する端末情報とを記憶する記憶手段の例である。
【００１７】
送受信部１４は、上記各管理情報を、サーバ機器３０との間で送受信する。送受信部１４は、端末が接続されているサーバ機器３０に、上記各情報（端末を利用するユーザを識別するユーザ情報、端末を特定する端末情報）を伝達する情報伝達手段の例である。
【００１８】
図３は、実施例１におけるサーバ機器３０を示すブロック図である。
【００１９】
サーバ機器３０は、登録情報管理部３１と、ユーザ情報管理部３２と、端末情報管理部３３と、更新・登録情報送受信部３４とを有する。
【００２０】
登録情報管理部３１は、ネットワーク上のＩＰサービスを利用するためのユーザ登録情報を蓄積・管理する。
【００２１】
ユーザ情報管理部３２は、内線に接続されている端末１０を利用するユーザを特定する情報を蓄積・管理する。
【００２２】
登録情報管理部３１とユーザ情報管理部３２とは、ネットワーク側が提供するサービスを、上記端末上で利用するために必要なユーザ毎の登録情報と、ユーザが利用している端末をユーザ毎に特定する情報とを蓄積・管理する手段の例である。
【００２３】
端末情報管理部３３は、ユーザが利用している端末１０の情報を、ユーザ毎に蓄積・管理する。
【００２４】
更新・登録情報送受信部３４は、構内交換機４０に設定されている設定データの更新依頼と、ユーザ登録の処理依頼とを、構内交換機４０に送受信する。更新・登録情報送受信部３４は、サーバ機器に接続されている構内交換機に、上記各情報を伝達する情報伝達手段の例である。
【００２５】
図４は、実施例１における構内交換機４０を示すブロック図である。
【００２６】
構内交換機４０は、ＩＰ交換制御部４１と、ユーザ登録制御部４２と、設定データ更新制御部４３と、更新・登録情報送受信部４４とを有する。
【００２７】
ユーザ登録制御部４２は、端末１０の利用を希望するユーザが、ネットワークＮＷ上のＩＰサービスを利用できるようにするための登録処理を、ユーザ毎に実施する。ユーザ登録制御部４２は、運用中の上記通信システムにおいて、所定の第１のユーザが、上記通信システム内の所定の端末において特定の操作を行うことによって、上記所定の端末を上記第１のユーザの端末として、一時的に動作可能とし、同時に、上記第１のユーザが、上記所定の端末からネットワーク側が提供するサービスを利用できるように、ユーザ登録するユーザ登録手段の例である。
【００２８】
設定データ更新制御部４３は、端末１０の利用を希望するユーザが、ＩＰサービスを利用できるようにするための構内交換機４０の設定データを、ユーザ毎に更新する。
【００２９】
設定データ更新制御部４３は、構内交換機の設定を更新する設定更新手段の例であり、この設定更新手段は、上記第１のユーザの端末として一時的に動作中の上記所定の端末に、上記第１のユーザが特定の操作をすることによって、上記第１のユーザの端末としての動作を、一時的に解除し、上記所定の端末が、元の端末の状態で動作できるように、構内交換機の設定を更新する手段である。
【００３０】
更新・登録情報送受信部４４は、端末１０の利用を希望するユーザに関する設定データの更新と、ユーザ登録とを実施するために必要な情報を、ユーザ毎に、サーバ機器３０との間で送受信する。
【００３１】
更新・登録情報送受信部４４は、ＩＰ交換機能を搭載し、上記サーバ機器からの上記各情報を受信する受信手段の例であり、ネットワーク側が提供するサービスを利用するために、ネットワーク上のサーバに登録情報を伝達する情報伝達手段の例である。
【００３２】
次に、実施例１の動作について説明する。
【００３３】
図５は、実施例１の動作を示すフローチャートであり、複数の端末のうちで、運用動作中の任意の所定の端末１０を、一時的に、第１のユーザの端末として動作可能にする処理を示すフローチャートである。
【００３４】
所定の端末１０は、通信システムの端末として予め必要な設定が完了し、現在待機中であるとする（Ｓ１１）。
【００３５】
ここで、所定の端末１０においてＩＰサービスの利用を希望する第１のユーザが、所定の端末１０で特定の操作を行うと（Ｓ１２）、端末１０の利用を希望する第１のユーザを特定する情報を、端末１０がサーバ機器３０に送信する（Ｓ１３）。
【００３６】
なお、上記「特定の操作」は、ダイヤルボタン押下、端末１０上のディスプレイに表示されている機能選択、または、ＩＣカード、ＲＦ−ＩＤ、指紋等のユーザエージェントを利用した操作である。
【００３７】
端末１０の利用を希望する第１のユーザを特定する情報を、サーバ機器３０が、端末１０から受信すると、サーバ機器３０は、端末１０の利用を希望する第１のユーザがＩＰサービスを利用することができるようにするための登録情報を検索する（Ｓ３１）。
【００３８】
検索結果がＯＫである場合、サーバ機器３０は、第１のユーザがＩＰサービスを利用することができるようにする登録処理の処理依頼を、構内交換機４０に送信し、また、第１のユーザが端末１０を利用することができるように、構内交換機４０内で管理している設定データの更新依頼を、構内交換機４０に送信する（Ｓ３２）。
【００３９】
サーバ機器３０から、処理依頼と更新依頼とを構内交換機４０が受信すると、構内交換機４０は、端末１０上で、第１のユーザがＩＰサービスを利用できるようにするために、登録処理を実施し、また、構内交換機４０内で管理する設定データを更新する（Ｓ４１）。
【００４０】
以上によって、第１のユーザは、一時的に、端末１０を自分専用の端末としてＩＰサービスを利用することができる（Ｓ１４）。
【００４１】
図６は、実施例１において、第１のユーザが、自分専用の端末として、一時的に利用中の端末１０上で、第１のユーザの特定の操作によって、端末１０について第１のユーザの利用を解除し、第１のユーザが端末１０を一時利用する前の状態に戻す処理を示すフローチャートである。
【００４２】
端末１０は、第１のユーザが一時利用している端末であり、現在、待機中であるとする（Ｓ１５）。ここで、第１のユーザが、端末１０の利用解除を希望する場合、その第１のユーザが、端末１０で特定の操作を行うと（Ｓ１６）、端末１０の利用解除を希望する第１のユーザを特定する情報を、端末１０がサーバ機器３０に送信する（Ｓ１７）。なお、上記「特定の操作」は、ダイヤルボタン押下、端末１０上のディスプレイに表示されている機能選択、またはＩＣカード、ＲＦ−ＩＤ、指紋等のユーザエージェントを利用した操作である。
【００４３】
端末１０の利用解除を希望する第１のユーザを特定する情報を、端末１０から、サーバ機器３０が受信すると、サーバ機器３０は、端末１０の動作が第１のユーザが端末１０を一時利用する前の状態になるような登録情報を検索する（Ｓ３３）。
【００４４】
検索結果がＯＫであれば、サーバ機器３０は、端末１０を一時利用していた第１のユーザに関するＩＰサービスの登録解除処理と、第１のユーザが端末１０を一時利用する前の登録処理との処理依頼を、構内交換機４０に送信し、また、端末１０を第１のユーザが一時利用する前の状態となるように、構内交換機４０内で管理する設定データの更新依頼を、構内交換機４０に送信する（Ｓ３４）。
【００４５】
サーバ機器３０から、各処理依頼と更新依頼とを構内交換機４０が受信すると、構内交換機４０は、端末１０を一時利用していた第１のユーザに関するＩＰサービスの登録解除処理と、第１のユーザが端末１０を一時利用する前の登録処理とを実施し、第１のユーザが端末１０を一時利用する前の状態になるように、構内交換機４０内で管理する設定データを更新する（Ｓ４２）。
【００４６】
以上の処理によって、第１のユーザによる端末１０の一時利用が解除され、端末１０は、第１のユーザによる一時利用前の動作が可能になる。
【００４７】
なお、実施例１において、サーバ機器３０と構内交換機４０とが一体である構造を有していてもよい。
【００４８】
また、上記実施例は、ネットワーク上のサービスを、ユーザが利用するために、ネットワーク上のサーバがユーザを登録するネットワークシステムを利用する通信システムであって、端末と、サーバ機器と、構内交換機とを具備し、ネットワークを介して、上記各端末／機器が相互に接続される通信システムの制御方法において、ＩＰ電話機能を搭載し、上記端末を利用するユーザを識別するユーザ情報と、上記端末を特定する端末情報とを、上記端末が記憶する記憶工程と、上記端末が接続されている情報サーバ機器に、上記端末が、上記各情報を伝達する情報伝達工程と、ネットワーク側が提供するサービスを、上記端末上で利用するために必要なユーザ毎の登録情報と、ユーザが利用している端末をユーザ毎に特定する情報とを、上記サーバ機器が蓄積・管理する工程と、上記サーバ機器に接続されている上記構内交換機に、上記サーバ機器が、上記各情報を伝達する情報伝達工程と、ＩＰ交換機能を搭載し、上記サーバ機器からの上記各情報を、上記構内交換機が受信する受信工程と、ネットワーク側が提供するサービスを利用するために、ネットワーク上のサーバに登録情報を、上記構内交換機が伝達する情報伝達工程と、運用中の上記通信システムにおいて、所定の第１のユーザが、上記通信システム内の所定の端末において特定の操作を行うことによって、上記所定の端末を上記第１のユーザの端末として、一時的に動作可能とし、同時に、上記第１のユーザが、上記所定の端末からネットワーク側が提供するサービスを利用できるように、上記構内交換機がユーザ登録するユーザ登録工程と、上記構内交換機の設定を、上記構内交換機が更新する設定更新工程とを有することを特徴とする通信システムの制御方法の例である。
【００４９】
この場合、上記設定更新工程は、上記第１のユーザの端末として一時的に動作中の上記所定の端末に、上記第１のユーザが特定の操作をすることによって、上記第１のユーザの端末としての動作を、一時的に解除し、上記所定の端末が、元の端末の状態で動作できるように、構内交換機の設定を更新する工程である。
【図面の簡単な説明】
【００５０】
【図１】本発明の実施例１である通信システム１００と、ネットワークＮＷを介して、ユーザにサービスを提供するためにユーザを登録するサーバ２００とを示す図である。
【図２】実施例１における端末１０を示すブロック図である。
【図３】実施例１におけるサーバ機器３０を示すブロック図である。
【図４】実施例１における構内交換機４０を示すブロック図である。
【図５】実施例１の動作を示すフローチャートであり、複数の端末のうちで、運用動作中の任意の端末を、一時的に、第１のユーザの端末として動作可能にする処理を示すフローチャートである。
【図６】実施例１において、第１のユーザが、自分専用の端末として、一時的に利用中の端末１０上で、第１のユーザの特定の操作によって、端末１０について第１のユーザの利用を解除し、第１のユーザが端末１０を一時利用する前の状態に戻す動作を示すフローチャートである。
【符号の説明】
【００５１】
１００…通信システム、
１０、２０…端末、
１１…ＩＰ電話機能制御部、
１２、３２…ユーザ情報管理部、
１３、３３…端末情報管理部、
１４、３４、４４…送受信部、
３０…サーバ機器、
３１…登録情報管理部、
４０…構内交換機、
４１…ＩＰ交換制御部、
４２…ユーザ登録制御部、
４３…設定データ更新制御部、
２００…登録サーバ。
【図１】
2006140922.tif 000003
【図２】
2006140922.tif 000004
【図３】
2006140922.tif 000005
【図４】
2006140922.tif 000006
【図５】
2006140922.tif 000007
【図６】
2006140922.tif 000008